(57)【特許請求の範囲】
【請求項１】
メモリカードが接続された状態で電池を電源として使用される携帯端末器であって、
メモリカードに設けられた端子に接触導通するカード用コンタクトと、電池に設けられたプラグが接続される電池用レセプタクルと、カード用コンタクト及び電池用レセプタクルをそれぞれ保持するハウジングとを備え、
ハウジングには、メモリカードが収納されるカード収納凹部が設けられ、カード用コンタクトはカード収納凹部の内面に露出していて、
カード用コンタクトに端子を接触させてカード収納凹部に収納されたメモリカードをカード収納凹部の底面との間に挟んでカード収納凹部からのメモリカードの脱落を阻止する閉位置と、カード収納凹部を開放してカード収納凹部へのメモリカードの出し入れを可能とする開位置との間で、ハウジングに対してカード収納凹部の開口面に沿ってスライド可能に保持されたカード押さえ部材を備え、
カード押さえ部材は、開位置において電池用レセプタクルの少なくとも一部を覆い電池用レセプタクルへの電池のプラグの接続を阻止するとともに閉位置において電池用レセプタクルを開放して電池用レセプタクルへの電池のプラグの接続を可能とする覆い部を有し、
覆い部は、閉位置においてメモリカードをカード収納凹部の底面との間に挟む部位に対してカード押さえ部材のスライド方向に直交する方向に突出した連結部と、連結部の先端部から、カード押さえ部材のスライド方向であって閉位置から開位置へ向かう方向に突出し、カード押さえ部材が開位置にあるときに電池用レセプタクルの少なくとも一部を覆う阻止部とを有することを特徴とする携帯端末器。
【請求項２】
カード収納凹部の深さ方向であってメモリカードが出される方向への阻止部の変位を制限する押さえ部が、ハウジングに設けられていることを特徴とする請求項１記載の携帯端末器。
【請求項３】
カード押さえ部材とハウジングとの一方には係合凸部が突設され、他方には、カード押さえ部材が閉位置にあるときに係合凸部が係入する閉凹部と、カード押さえ部材が開位置にあるときに係合凸部が係入する開凹部とがそれぞれ設けられていることを特徴とする請求項１又は請求項２記載の携帯端末器。
【請求項４】
カード押さえ部材においてカード収納凹部の深さ方向であってメモリカードが出される方向に向けられる面には、カード押さえ部材のスライド方向について起伏が設けられていることを特徴とする請求項１〜３のいずれか記載の携帯端末器。
【請求項５】
メモリカードは通信サービスの加入者情報が格納されたものであって、
ハウジングに収納されカード用コンタクトを介してメモリカードにアクセスするカード接続部と、ハウジングに収納されカード接続部を介してメモリカードから得られた加入者情報を用いて公衆網を介した通信を行う通信部とを備えることを特徴とする請求項１〜４のいずれか記載の携帯端末器。
【発明の詳細な説明】
【技術分野】
【０００１】
本発明は、メモリカードを接続した状態で電池を電源として使用される携帯端末器に関するものである。
【背景技術】
【０００２】
従来から、種々のメモリカードを用いた携帯電話やＰＤＡ（Personal Digital Assistants）などの携帯端末器が提供されている（例えば、特許文献１〜３参照）。
【特許文献１】特開２００５−８４７０３号公報
【特許文献２】特開２００４−３６２８９２号公報
【特許文献３】特開２００２−１０１１７０号公報
【発明の開示】
【発明が解決しようとする課題】
【０００３】
一般に、メモリカードは、電源が入った状態で携帯端末器に着脱されると、格納されたデータが破壊されてしまうおそれがある。
【０００４】
本発明は上記事由に鑑みて為されたものであり、その目的は、電源が入った状態でのメモリカードの着脱を防止することができる携帯端末器を提供することにある。
【課題を解決するための手段】
【０００５】
請求項１の発明は、メモリカードが接続された状態で電池を電源として使用される携帯端末器であって、メモリカードに設けられた端子に接触導通するカード用コンタクトと、電池に設けられたプラグが接続される電池用レセプタクルと、カード用コンタクト及び電池用レセプタクルをそれぞれ保持するハウジングとを備え、ハウジングには、メモリカードが収納されるカード収納凹部が設けられ、カード用コンタクトはカード収納凹部の内面に露出していて、カード用コンタクトに端子を接触させてカード収納凹部に収納されたメモリカードをカード収納凹部の底面との間に挟んでカード収納凹部からのメモリカードの脱落を阻止する閉位置と、カード収納凹部を開放してカード収納凹部へのメモリカードの出し入れを可能とする開位置との間で、ハウジングに対してカード収納凹部の開口面に沿ってスライド可能に保持されたカード押さえ部材を備え、カード押さえ部材は、開位置において電池用レセプタクルの少なくとも一部を覆い電池用レセプタクルへの電池のプラグの接続を阻止するとともに閉位置において電池用レセプタクルを開放して電池用レセプタクルへの電池のプラグの接続を可能とする覆い部を有し、覆い部は、閉位置においてメモリカードをカード収納凹部の底面との間に挟む部位に対してカード押さえ部材のスライド方向に直交する方向に突出した連結部と、連結部の先端部から、カード押さえ部材のスライド方向であって閉位置から開位置へ向かう方向に突出し、カード押さえ部材が開位置にあるときに電池用レセプタクルの少なくとも一部を覆う阻止部とを有することを特徴とする。
【０００６】
この発明によれば、メモリカードをカード収納凹部に出し入れ可能となる状態では、カード押さえ部材の覆い部によって電池用レセプタクルの少なくとも一部が覆われることにより、電池用レセプタクルに電池のプラグが接続されることがない。また、電池のプラグが電池用レセプタクルに接続された状態では、カード押さえ部材を開位置に移動させようとしても覆い部が電池のプラグに当たることによりカード押さえ部材の変位が制限されるから、メモリカードがカード収納凹部に出し入れされることがない。従って、電源が入った状態でのメモリカードの着脱は防止される。また、カード押さえ部材のスライド方向について、電池用レセプタクルの配置の自由度を向上することができる。
【０００９】
請求項２の発明は、請求項１の発明において、カード収納凹部の深さ方向であってメモリカードが出される方向への阻止部の変位を制限する押さえ部が、ハウジングに設けられていることを特徴とする。
【００１０】
この発明によれば、阻止部が電池用レセプタクルから離れるようなカード押さえ部材の変形を抑え、開位置において電池用レセプタクルが露出してしまうことを防ぐことができる。
【００１１】
請求項３の発明は、請求項１又は請求項２の発明において、カード押さえ部材とハウジングとの一方には係合凸部が突設され、他方には、カード押さえ部材が閉位置にあるときに係合凸部が係入する閉凹部と、カード押さえ部材が開位置にあるときに係合凸部が係入する開凹部とがそれぞれ設けられていることを特徴とする。
【００１２】
この発明によれば、カード押さえ部材が開位置に至ったときと閉位置に至ったときとにそれぞれカード押さえ部材の操作者にクリック感が与えられるから、カード押さえ部材を過剰に変位させる操作力が加えられることを防ぐことができる。
【００１３】
請求項４の発明は、請求項１〜３のいずれかの発明において、カード押さえ部材においてカード収納凹部の深さ方向であってメモリカードが出される方向に向けられる面には、カード押さえ部材のスライド方向について起伏が設けられていることを特徴とする。
【００１４】
この発明によれば、起伏に手の爪などを引っ掛けることにより、容易にカード押さえ部材をスライドさせることができる。
【００１５】
請求項５の発明は、請求項１〜４のいずれかの発明において、メモリカードは通信サービスの加入者情報が格納されたものであって、ハウジングに収納されカード用コンタクトを介してメモリカードにアクセスするカード接続部と、ハウジングに収納されカード接続部を介してメモリカードから得られた加入者情報を用いて公衆網を介した通信を行う通信部とを備えることを特徴とし、通信機能付きの携帯端末器を提供することができる。
【発明の効果】
【００１６】
本発明によれば、カード用コンタクトに端子を接触させてカード収納凹部に収納されたメモリカードをカード収納凹部の底面との間に挟んでカード収納凹部からのメモリカードの脱落を阻止する閉位置と、カード収納凹部を開放してカード収納凹部へのメモリカードの出し入れを可能とする開位置との間で、ハウジングに対してカード収納凹部の開口面に沿ってスライド可能に保持されたカード押さえ部材を備え、カード押さえ部材は、開位置において電池用レセプタクルの少なくとも一部を覆い電池用レセプタクルへの電池のプラグの接続を阻止するとともに閉位置において電池用レセプタクルを開放して電池用レセプタクルへの電池のプラグの接続を可能とする覆い部を有するので、メモリカードをカード収納凹部に出し入れ可能となる状態では、カード押さえ部材の覆い部によって電池用レセプタクルの少なくとも一部が覆われることにより、電池用レセプタクルに電池のプラグが接続されることがない。また、電池のプラグが電池用レセプタクルに接続された状態では、カード押さえ部材を開位置に移動させようとしても覆い部が電池のプラグに当たることによりカード押さえ部材の変位が制限されるから、メモリカードがカード収納凹部に出し入れされることがない。従って、電源が入った状態でのメモリカードの着脱は防止される。また、カード押さえ部材のスライド方向について、電池用レセプタクルの配置の自由度を向上することができる。
【発明を実施するための最良の形態】
【００１７】
以下、本発明を実施するための最良の形態について、図面を参照しながら説明する。
【００１８】
本実施形態は、図２に示すように、ＧＳＭ（Global System for Mobile communications）方式において通信サービスの加入者情報が格納されるメモリカードとしてのＳＩＭカード（Subscriber Identity Module Card）Ｃが接続された状態で使用され、公衆網に接続された無線基地局（図示せず）との間での通信を、ＳＩＭカードＣに格納された加入者情報を用いて確立させることで、公衆網を通じた通話を可能とする無線通話端末である。
【００１９】
具体的に説明すると、本実施形態は、ＳＩＭカードＣに設けられた端子ＣＴに接触導通するカード用コンタクト１１ａを有しカード用コンタクト１１ａを介してＳＩＭカードＣにアクセスするカード接続部１１と、操作入力を受け付ける操作部１２と、公衆網に接続された無線基地局との間で電波を媒体とした通信を行う通信部１３と、音声を電気信号に変換する音声入力部１４と、電気信号を音声に変換する音声出力部１５と、通信部１３及び音声出力部１５をそれぞれ制御する制御部１６とを備える。
【００２０】
制御部１６は、通話の開始を指示する操作入力が操作部１２になされたときに、カード接続部１１を介してＳＩＭカードＣから読み取られた加入者情報を用いて無線基地局との間での通信を確立させ、通話の終了を指示する操作入力が操作部１２になされたときに上記通信を終了させる。また、制御部１６は、通信が確立している間は、音声入力部１４の出力に基づいて通信部１３を制御して通話用の無線信号を送信させるとともに、通信部１３に受信された通話用の無線信号に基づいて音声出力部１５を制御することにより、通話を成立させる。
【００２１】
また、本実施形態は、ＧＰＳ（Global Positioning System）用の衛星から受信されるＧＰＳ信号に基づいて測位を行う測位部１７を備え、制御部は、操作部１２に所定の操作入力がなされたときに、測位部１７に測位を行わせるとともに、通信部１３を制御し、得られた測位結果を無線基地局と公衆網とを介して所定の通知先（例えば管理センター）に送信する。さらに、発光ダイオード（図示せず）を有し、制御部１６によって制御されて電源のオンオフや通信中か否かといった状態を発光ダイオードの点灯状態により表示する表示部１８を備える。上記各構成は、いずれも周知技術によって実現可能であるので、詳細な図示並びに説明は省略する。
【００２２】
次に、本実施形態の構造について説明する。本実施形態は、上記各部を収納した図３（ａ）（ｂ）に示すハウジング２を備える。以下、上下左右は図３（ｂ）を基準とし、図３（ａ）における紙面手前側を前側として説明する。
【００２３】
ハウジング２は、ハウジング２の後面を構成するボディ２ａと、ハウジング２の前面を構成するケース２ｂとからなる。ボディ２ａ及びケース２ｂは、それぞれ例えばＡＢＳ樹脂を用いた成型品からなり、例えばねじ止めによって互いに結合する。ハウジング２の左上端部には、ストラップ（図示せず）が挿通されるストラップ穴２１が後面から上面にかけて貫設されている。
【００２４】
ハウジング２の前面には、操作部１２が有するオンフック釦１２ｂとオフフック釦１２ａとが上下に並べて設けられている。制御部１６は、オフフック釦１２ａが押操作されると所定の通報先（例えば管理センター）との通信を確立させ、オンフック釦１２ｂが押操作されると通信を終了させる。すなわち、オフフック釦１２ａを押操作するだけで通話を開始することができるのであり、本実施形態は、例えば子供や老人や危険な場所で作業する作業員などが携行し、誘拐や発作や事故といった緊急時の通報用に用いるものである。また、オンフック釦１２ｂは電源釦を兼ねており、オンフック釦１２ｂを例えば１秒以上押し続けることによって電源のオンオフがなされる。さらに、ハウジング２の上端部には、例えばケース２ｂに前後に貫設された貫通穴に透明な部材を嵌め込むことによって、それぞれハウジング２に収納された表示部１８が有する発光ダイオードの光を通過させる２個の窓部２ｃが左右に並べて設けられている。一方の窓部２ｃでは電源のオンオフが表示され、他方の窓部２ｃでは通信中か否かが表示される。さらに、ケース２ｂにおいてオフフック釦１２ａの上側には、音声入力部に入力される音や音声出力部から出力される音を通過させる多数の音穴２２が前後に貫設されている。また、ハウジング２の左右両側面にはそれぞれ位置通知釦１２ｃが設けられており、左右の位置通知釦１２ｃを同時に押操作すると、制御部１６は測位部１７による測位の結果の送信を行う。
【００２５】
ここで、図２に示した各部の電源は、図４（ａ）（ｂ）に示す２次電池Ｂから供給される。２次電池Ｂとしては、例えばリチウムイオン電池を用いることができる。２次電池Ｂは、扁平な直方体形状の本体部Ｂ１と、本体部Ｂ１内の各電極（図示せず）にそれぞれ電線Ｂ２を介して電気的に接続されたプラグＢ３とを有する。
【００２６】
ハウジング２の後面には、図１（ａ）（ｂ）に示すように、２次電池Ｂが収納される電池収納凹部２３が設けられている。ハウジング２には、電池収納凹部２３を閉塞する電池カバー３が着脱自在に装着される。このような電池カバー３は周知の技術で実現可能であるので、詳細な説明は省略する。
【００２７】
また、ボディ２ａにおいて電池収納凹部２３の底面となる部位の右端部には、２次電池ＢのプラグＢ３が着脱自在に接続される電池用レセプタクル４が挿通されるレセプタクル挿通穴２３ｅが前後に貫設されており、ハウジング２には、電池用レセプタクル４が、電池収納凹部２３の底面においてレセプタクル挿通穴２３ｅを通じて露出する形で保持されている。すなわち、本実施形態は、電池用レセプタクル４を介して２次電池Ｂから電力を供給されるのであって、電池用レセプタクル４から２次電池ＢのプラグＢ３が取り外されると、本実施形態は電源が切られた状態となる。電池収納凹部２３の底面には、２次電池Ｂの本体部Ｂ１を位置決めする２個の位置決め突起２３ａ，２３ｂがそれぞれ後方へ突設されている。ハウジング２に対する２次電池Ｂの本体部Ｂ１の変位は、下方と左方についてはそれぞれ電池収納凹部２３の内面によって制限され、上方と右方とについてはそれぞれ位置決め突起２３ａ，２３ｂの一方ずつにより制限される。電池用レセプタクル４は、２次電池Ｂの本体部Ｂ１の右側に位置する位置決め突起２３ａの上側、すなわち、２次電池Ｂの本体部Ｂ１には重ならない位置に設けられている。また、ハウジング２の下面には、電池用レセプタクル４にプラグＢ３が接続された２次電池Ｂを充電するための電力が供給される充電用端子（図示せず）が設けられている。
【００２８】
また、電池収納凹部２３の底面において、２次電池Ｂの本体部Ｂ１の上側に位置する位置決め突起２３ｂの下側には、ＳＩＭカードＣが厚さ方向を前後方向に向けて収納されるカード収納凹部２４が設けられている。つまり、２次電池Ｂの本体部Ｂ１はＳＩＭカードＣの後側に重ねて配置される。ボディ２ａにおいてカード収納凹部２４の底面に相当する部位には貫通穴２４ｂが前後に貫設されており、この貫通穴２４ｂは、カード接続部１１が有するカード用コンタクト１１ａを保持してハウジング２に収納された端子台１１ｂで閉塞されている。これにより、カード収納凹部２４の底面の一部は端子台１１ｂで構成され、カード用コンタクト１１ａは、カード収納凹部２４の底面に露出している。そして、カード収納凹部２４にＳＩＭカードＣを収納すると、ＳＩＭカードＣの一面に設けられた端子ＣＴがカード用コンタクト１１ａに接触導通するようになっている。また、ＳＩＭカードＣは厚さ方向から見て長方形状の一角が切り欠かれた形状となっており、カード収納凹部２４もこれに合わせた形状となっていて、正しい向きでなければカード収納凹部２４の切り欠きに相当する部位にＳＩＭカードＣの切り欠かれていない一角が引っ掛かり、ＳＩＭカードＣをカード収納凹部２４に収納することができないようになっている。さらに、カード収納凹部２４の寸法形状はＳＩＭカードＣよりも僅かに大きい程度となっており、ハウジング２に対するＳＩＭカードＣの上下左右への変位並びに後方から見た面内（図１（ａ）（ｂ）の面内）でのＳＩＭカードＣの回動は、カード収納凹部２４の内面により制限されている。カード収納凹部２４の上側の内面には、カード収納凹部２４の底面との間にＳＩＭカードＣの厚さ寸法よりも僅かに大きい程度の隙間を空けるカード抜け止め突起２４ａが下方へ突設されている。さらに、本実施形態は、ＳＩＭカードＣの下端部をカード収納凹部２４の底面との間に挟むカード押さえ部材５を備え、ＳＩＭカードＣは、カード抜け止め突起２４ａとカード押さえ部材５とによりカード収納凹部２４から後方への脱落を防止される。
【００２９】
以下、本実施形態の要部である、カード押さえ部材５について具体的に説明する。カード押さえ部材５は、例えば金属板に打ち抜き加工と曲げ加工とが施されてなり、図５（ａ）〜（ｄ）並びに図６（ａ）（ｂ）に示すように、長方形状の本体部５１を有する。
【００３０】
カード収納凹部２４の下側には、カード収納凹部２４に連通したガイド凹部２５が設けられており、カード押さえ部材５の本体部５１は厚さ方向を前後方向に向けて少なくとも一部をガイド凹部２５に収納されている。後方から見たガイド凹部２５の寸法形状は後方から見たカード押さえ部材５の寸法形状よりも僅かに大きく、ガイド凹部２５の内面に本体部５１がガイドされることにより、カード押さえ部材５は、図１（ａ）に示すように本体部５１の上端部がガイド凹部２５からカード収納凹部２４内へ突出しＳＩＭカードＣの後側に位置して（つまり、ＳＩＭカードＣをカード収納凹部２４の底面との間に挟んで）ＳＩＭカードＣの脱落を防止する閉位置と、図１（ｂ）に示すように本体部５１の略全体がガイド凹部２５に収納されてカード収納凹部２４を開放しカード収納凹部２４へのＳＩＭカードＣの出し入れを可能とする開位置との間で上下にスライド可能となっている。
【００３１】
また、ガイド凹部２５の左右の内側面からは、押さえ突起２５ａが左右方向の内向きに突設されている。押さえ突起２５ａの前面は、ガイド凹部２５の底面に対し、カード押さえ部材５の本体部５１の厚さ寸法よりも僅かに大きい程度だけ後側に位置しており、カード押さえ部材５の後方への脱落は押さえ突起２５ａにより防止されている。
【００３２】
ここで、各押さえ突起２５ａの前側には、図７（ｂ）に示すように、それぞれ制限穴２５ｂが形成されている。制限穴２５ｂは、電池収納凹部２３を構成するボディ２ａの成型時に、押さえ突起２５ａの形成用の金型により形成されたものである。また、カード押さえ部材５の本体部５１の前面の中央部には、制限突起５１ａが左右に並べて２個前方へ突設されている。各制限突起５１ａは、それぞれ、上端部が上方へ向かって急激に突出寸法を小さくするように傾斜するとともに、中央部から下端部にかけては下方へ向かって緩やかに突出寸法を小さくするように傾斜した断面三角形状となっている。各制限突起５１ａはそれぞれ制限穴２５ｂに係入しており、閉位置では、各制限突起５１ａの上側の傾斜面がそれぞれ制限穴２５ｂの上側の内面に当接することにより、ガイド凹部２５から上方へのカード押さえ部材５の脱落は防止されている。また、組立時、カード押さえ部材５は、ガイド凹部２５の上側からガイド凹部２５に導入されるが、このときは各制限突起５１ａは下側の傾斜面においてガイド凹部２５の底面に当接して徐々に弾性変形しながら制限穴２５ｂに導入されるから、カード押さえ部材５の取り付けは容易となっている。
【００３３】
また、本体部５１の前面の中央部には、例えばエンボス加工によって２個の係合凸部５１ｂが上下に並べて前方へ突設されている。ガイド凹部２５の底面には、図７（ａ）に示すように、３個の係合凹部２５ｃ〜２５ｅが上下に並べて設けられている。係合凹部２５ｃ〜２５ｅの間隔は係合凸部５１ｂの間隔に揃えてあり、閉位置では上側の２個の係合凹部２５ｃ，２５ｄに、開位置では下側の２個の係合凹部２５ｄ，２５ｅに、それぞれ係合凸部５１ｂが係入することにより、カード押さえ部材５の位置決めがなされる。すなわち、３個の係合凹部２５ｃ〜２５ｅのうち、上側の係合凹部２５ｃが閉凹部であり、下側の係合凹部２５ｅが開凹部であり、中央の係合凹部２５ｄは閉凹部であり開凹部でもある。カード押さえ部材５がスライド操作されて閉位置と開位置とのいずれかに至ったときには、係合凸部５１ｂが係合凹部２５ｃ〜２５ｅに係入することによりカード押さえ部材５の操作者にクリック感が与えられるから、カード押さえ部材５を過剰に変位させる操作力が加えられることを防ぐことができる。なお、凹凸の関係を本実施形態と逆にし、各係合凸部５１ｂをそれぞれハウジング２に設けるとともに、係合凹部２５ｃ〜２５ｅをそれぞれカード押さえ部材５に設けてもよい。
【００３４】
さらに、カード押さえ部材５の本体部５１の上端には、部材の上端部を後方へ曲げて下向きに折り返すようにして、他の部位よりも後方に突出した操作突起５１ｃが設けられている。すなわち、操作突起５１ｃにより、カード押さえ部材５の後面には、カード押さえ部材５のスライド方向である上下方向について起伏が生じている。カード押さえ部材５を操作する際には、操作突起５１ｃに手の爪などを引っ掛けることにより、容易にカード押さえ部材５をスライドさせることができる。
【００３５】
また、カード押さえ部材５は、開位置において電池用レセプタクル４の一部を覆い電池用レセプタクル４へのコネクタＢ３の接続を阻止するとともに閉位置において電池用レセプタクル４を開放する覆い部５２を有する。
【００３６】
覆い部５２は、本体部５１の上端部から右方に突設された連結部５２ａと、連結部５２ａの右端部から下方に突設され先部が閉位置において電池用レセプタクル４の一部を覆う阻止部５２ｂとを有し、後方から見て全体としてＬ字形状となっている。ここで、本実施形態では、電池用レセプタクル４の後端をカード押さえ部材５の本体部５１の後面よりも後方に突出させて２次電池ＢのコネクタＢ３の接続を容易としており、これに合わせて、カード押さえ部材５の連結部５２ａには、阻止部５２ｂを含む右側の部位を、本体部５１を含む左側の部位よりも後側に位置させる段５２ｃが設けられている。
【００３７】
また、電池収納凹部２３の底面には、阻止部５２ｂが挿通される貫通穴２３ｄが上下に貫設された押さえ部としてのガイド突起２３ｃが後方へ突設されている。ガイド突起２３ｃの貫通穴２３ｄの内面に阻止部５２ｂがガイドされ、阻止部５２ｂの後方への変位（すなわち反り）と、左右方向への変位とがそれぞれ制限されていることにより、開位置において電池用レセプタクル４を露出させてしまうような阻止部５２ｂの変形が防止されているから、ガイド突起２３ｃを設けない場合に比べ、ＳＩＭカードＣを着脱可能な状態での電池用レセプタクル４への２次電池ＢのプラグＢ３の接続をより確実に防ぐことができる。さらに、後方から見た面内での阻止部５２ｂのハウジングに対する回動がガイド突起２３ｃの貫通穴２３ｄの内面によって制限されていることにより、ハウジング２に対するカード押さえ部材５の姿勢がより安定し、カード押さえ部材５をスライドさせる際の傾きによる引っかかりが発生しにくくなっている。
【００３８】
上記構成によれば、カード押さえ部材５が開位置にある状態、すなわち、ＳＩＭカードＣをカード収納凹部２４に出し入れ可能となる状態では、カード押さえ部材５の覆い部５２によって電池用レセプタクル４の一部が覆われることにより、電池用レセプタクル４への２次電池ＢのプラグＢ３の接続が阻止される。また、２次電池ＢのプラグＢ３が電池用レセプタクル４に接続された状態では、カード押さえ部材５を開位置に移動させようとしても覆い部５２が電池のプラグＢ３に当たることによりカード押さえ部材５の変位が制限されるから、ＳＩＭカードＣがカード収納凹部２４に出し入れされることがない。従って、電源が入った状態でのＳＩＭカードＣの着脱が防止される。
【００３９】
なお、各部の形状は本実施形態のものに限られず、例えば図８（ａ）（ｂ）に示すようにカード押さえ部材５の覆い部５２をＬ字形状とする代わりに本体部５１の右方に突出する長方形状とし、ガイド突起２３ｃを設ける代わりに左右方向に開放されて覆い部５２が挿通され内面が覆い部５２をガイドするスリット（図示せず）を設けてもよい。しかし、図８（ａ）（ｂ）の構成では、組立時にカード押さえ部材５をガイド凹部２５の上側から導入する関係上、上記スリットは覆い部５２を導入するために上側にも開放されている必要があるから、ハウジング２において上記スリットの後側の部位は片持ち梁形状となり機械的に構造上の強度が脆弱となってしまう。また、本実施形態の構成と比較すると、ガイド突起２３ｃによるガイドがない分、ハウジング２に対するカード押さえ部材５の向きが安定しないから、カード押さえ部材５をスライド操作する際にカード押さえ部材５の傾きによる引っかかりが生じやすくなり、操作性が低下してしまう。従って、図８（ａ）（ｂ）の構成よりも、図１（ａ）（ｂ）に示す本実施形態のように覆い部５２をＬ字形状とすることが望ましい。
【図面の簡単な説明】
【００４０】
【図１】（ａ）（ｂ）はそれぞれ本発明の実施形態において電池カバーを取り外した状態を示す背面図であり、（ａ）はカード押さえ部材が閉位置にある状態を示し、（ｂ）はカード押さえ部材が開位置にある状態を示す。
【図２】同上を示すブロック図である。
【図３】（ａ）（ｂ）はそれぞれ同上を示す図であり、（ａ）は正面図、（ｂ）は背面図である。
【図４】（ａ）（ｂ）はそれぞれ同上に用いられる２次電池を示す図であり、（ａ）は正面図、（ｂ）は左側面図である。
【図５】（ａ）〜（ｄ）はそれぞれ同上におけるカード押さえ部材を示す図であり、（ａ）は背面図、（ｂ）は右側面図、（ｃ）は下面図、（ｄ）は（ａ）のＡ−Ａ断面図である。
【図６】（ａ）（ｂ）はそれぞれ同上におけるカード押さえ部材を示す斜視図であり、（ａ）（ｂ）は互いに異なる方向から見た状態を示す。
【図７】（ａ）（ｂ）はそれぞれ同上におけるボディを示す斜視図であり、（ａ）（ｂ）は互いに異なる方向から見た状態を示す。
【図８】（ａ）（ｂ）はそれぞれ比較例において電池カバーを取り外した状態を示す背面図であり、（ａ）はカード押さえ部材が閉位置にある状態を示し、（ｂ）はカード押さえ部材が開位置にある状態を示す。
【符号の説明】
【００４１】
２  ハウジング
４  電池用レセプタクル
５  カード押さえ部材
１１  カード接続部
１３  通信部
１１ａ  カード用コンタクト
２３ｃ  ガイド突起
２４  カード収納凹部
２５ｃ〜２５ｅ  係合凹部
５１  本体部
５１ｂ  係合凸部
５１ｃ  操作突起
５２  覆い部
５２ａ  連結部
５２ｂ  阻止部
Ｃ  ＳＩＭカード
ＣＴ  端子
Ｂ  ２次電池
Ｂ３  コネクタ
【図１】
0004821414.tif 000002
【図２】
0004821414.tif 000003
【図３】
0004821414.tif 000004
【図４】
0004821414.tif 000005
【図５】
0004821414.tif 000006
【図６】
0004821414.tif 000007
【図７】
0004821414.tif 000008
【図８】
0004821414.tif 000009